(57)【特許請求の範囲】
【請求項１】
第１主面、前記第１主面と対面する第２主面、第１主面と第２主面とに挟まれた側面で外形が構成され、透明材料で作製された筐体と、
前記筐体の内部に配置され、前記第１主面側と前記第２主面側の両面に画像を表示可能な表示部と、
不透明または半透明な材料で形成され、前記筐体の前記第１主面に配置された物理キーと、
前記物理キーと前記表示部との間に配置され、前記表示部に対する制御と前記物理キーからの入力を受け付ける制御部が実装される回路部品と、を有することを特徴とする携帯電子機器。
【発明の詳細な説明】
【技術分野】
【０００１】
本発明は、画像を表示する表示部を備えた携帯電子機器に関する。
【背景技術】
【０００２】
近年、携帯電話機、ＰＤＡ、携帯ゲーム機等、表示部を備える携帯電子機器は、種々の形状、構成の筐体が提案されている（例えば、特許文献１）。また、携帯電子機器としては、透明な材料で筐体を形成し、内部に配置された回路基板等が視認できる携帯電話機が発売されていた。
【先行技術文献】
【特許文献】
【０００３】
【特許文献１】特開２００２−２５２４７６号公報
【発明の概要】
【発明が解決しようとする課題】
【０００４】
ここで、以前発売されていた筐体が透明な携帯電話機は、中身が透けるため、内部の電子部品まで見えていた。また、表示部の面積も小さいため、表示できる画像に限界がある。
【０００５】
本発明は、上記に鑑みてなされたものであって、美観が優れ、大画面に画像を表示でき、操作性が高い携帯電子機器を提供することを目的とする。
【課題を解決するための手段】
【０００６】
上述した課題を解決し、目的を達成するために、本発明は、第１主面、前記第１主面と対面する第２主面、第１主面と第２主面とに挟まれた側面で外形が構成され、透明材料で作製された筐体と、前記筐体の内部に配置され、前記第１主面側と前記第２主面側の両面に画像を表示可能な表示部と、不透明または半透明な材料で形成され、前記筐体の前記第１主面に配置された物理キーと、前記物理キーと前記表示部との間に配置され、前記表示部に対する制御と前記物理キーからの入力を受け付ける制御部が実装される回路部品と、を有することを特徴とする。
【０００７】
ここで、前記筐体は、前記側面の少なくとも一部が、第１主面に直交する方向に対して傾いていることが好ましい。
【０００８】
また、前記物理キーは、表面がシート状部材で覆われていることが好ましい。
【０００９】
また、スピーカ、マイク及びカメラをさらに有し、前記スピーカ、前記マイク及び前記カメラの少なくとも１つは、前記筐体から露出している部分が、前記シート状部材の一部に配置されていることが好ましい。
【００１０】
また、前記表示部は、前記表示部の前記回路部品と対面している領域に不透明な画像を表示し、前記回路部品と対面していない領域には、透明な画像を表示させるように前記表示部を制御することが好ましい。
【００１１】
また、前記制御部は、前記表示部の前記第２主面側に表示させる画像を、前記回路部品と対面している領域の背景を不透明とし、前記回路部品と対面していない領域の背景を透明とするように前記表示部を制御することが好ましい。
【００１２】
また、前記第２主面側に表示させる画像は、待受画像であることが好ましい。
【００１３】
また、前記物理キーは、文字の表示方向を基準として、中心が、前記第１主面の中心よりも下側に配置されていることが好ましい。
【００１４】
また、前記第２主面に配置されて、前記制御部への入力を行うタッチパネルをさらに有し、前記物理キーは、トラックボール、方向キー、タッチパッド、光式ポインティングデバイスの少なくとも１つを備えることが好ましい。
【００１５】
また、電波を送受信するアンテナを備え、画面に表示する情報を外部から取得可能な無線通信部をさらに有し、前記アンテナは、前記物理キーと前記表示部との間で、かつ、文字の表示方向を基準として下側の端部に配置されていることが好ましい。
【００１６】
また、前記表示部は、前記第２主面の画像表示領域が、前記第１主面の画像表示領域より大きいことが好ましい。
【００１７】
また、前記表示部は、画像を表示させていない状態では、透明または半透明となることが好ましい。
【００１８】
また、前記物理キーと前記表示部と間に配置され、非接触で充電可能である電源部と、をさらに有することが好ましい。
【００１９】
また、前記物理キーは、不透明であることが好ましい。
【発明の効果】
【００２０】
本発明にかかる携帯電子機器は、美観が優れ、大画面に画像を表示でき、操作性を高くすることができるという効果を奏する。
【図面の簡単な説明】
【００２１】
【図１】図１は、本発明の携帯電子機器の一実施形態の概略構成を示す正面図である。
【図２】図２は、図１に示す携帯電子機器の背面図である。
【図３】図３は、図１に示す携帯電子機器の側面図である。
【図４】図４は、図１に示す携帯電子機器の上面図である。
【図５】図５は、図１に示す携帯電子機器のＡ−Ａ線断面図である。
【図６】図６は、図１に示す携帯電子機器の機能の概略構成を示すブロック図である。
【図７−１】図７−１は、携帯電子機器の表示部の画面を示す説明図である。
【図７−２】図７−２は、表示部に表示させる画像の一例を示す説明図である。
【図７−３】図７−３は、表示部に表示させる画像の一例を示す説明図である。
【図７−４】図７−４は、表示部に表示させる画像の一例を示す説明図である。
【図８−１】図８−１は、携帯電子機器の他の一例の概略構成を示す上面図である。
【図８−２】図８−２は、携帯電子機器の他の一例の概略構成を示す上面図である。
【図８−３】図８−３は、携帯電子機器の他の一例の概略構成を示す上面図である。
【発明を実施するための形態】
【００２２】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal  Handyphone  System）、ＰＤＡ、ポータブルナビゲーション装置、ポータブルゲーム機等に対しても本発明は適用できる。
【００２３】
まず、図１から図５を用いて、携帯電子機器１の外観を説明する。図１は、本発明の携帯電子機器の一実施形態の概略構成を示す正面図である。また、図２は、図１に示す携帯電子機器の背面図であり、図３は、図１に示す携帯電子機器の側面図であり、図４は、図１に示す携帯電子機器の上面図であり、図５は、図１に示す携帯電子機器のＡ−Ａ線断面図である。
【００２４】
携帯電子機器１は、無線通信機能を備えた携帯電話機である。携帯電子機器１は、筐体２を有し、この筐体２の内部及び表面に各部が配置されている。筐体２は、図１から図４に示すように、箱型形状であり、第１筐体２Ａと、第２筐体２Ｂとを貼り合わせた構造である。第１筐体２Ａと第２筐体２Ｂとは、厚みが薄い板形状であり、夫々の面積が最も広い面同士が向かい合う向きで貼り合わせられている。また、第１筐体２Ａと第２筐体２Ｂとの面積が最も広い面は、同一面積である。また、筐体２（第１筐体２Ａと第２筐体２Ｂと）は、透明な材料で作製されている。ここで、透明な材料とは、光を透過する材料、例えばアクリル樹脂（ＰＭＭＡ）、ポリカードネート（ＰＣ）である。また、第１筐体２Ａと第２筐体２Ｂとは、接着剤等で接合されており、接合面は、透明となっている。
【００２５】
筐体２は、外面が、表面（第１主面）３と、表面３に対向する（反対側の面である）裏面４（第２主面）と、表面３と裏面４との間の側面５とで構成されている。なお、第１筐体２Ａの面積が最も広い面が表面３となり、第２筐体２Ｂの面積が最も広い面が裏面４となる。また、側面５は、表面３と裏面４の外縁であり、表面３及び裏面４に平行な方向、つまり図３または図４に示す方向から筐体２を見た場合に見える面である。この筐体２は、中心から端部に向かうにしたがって表面３と裏面４との間隔が短くなる形状である。つまり、筐体２は、図３及び図４に示すように、側面５の断面が曲面となる形状である。
【００２６】
図１に示すように、筐体２（第１筐体２Ａ）の表面３には、シート部６が設けられている。なお、シート部６は、表面３の長手方向において、中央よりも下側（標準的に使用した場合における文字表示方向などを基準として下側となる向き）にオフセットして配置されている。つまり、シート部６は、表面３のうち下側にずれて配置されている。また、シート部６は、短手方向は、略全面に配置されている。このシート部６は、不透明な材料で作製されている。また、シート部６は、可撓性を有し、押されることで変形する。
【００２７】
また、シート部６には、数字キー１２、方向及び決定キー１３、マイク１５、カメラ３６が設けられている。数字キー１２は、電話番号入力時に数字を入力したり、メール作成時等に文字を入力したりするためのキーであり、シート部６の中央に配置されている。なお、数字キー１２は、表面がシート部６に覆われている。方向及び決定キー１３は、表示部３２に表示されるメニューの選択及び決定や画面のスクロール等を容易に実行するためのキーであり、シート部６の数字キー１２よりも上側に配置されている。また、マイク１５は、携帯電子機器１の通話時に音声を受け取る部分であり、シート部６の下側で、短手方向の一方の端部（図中左側）に配置されている。さらに、カメラ３６は、シート部６の下側で、短手方向の他方の端部（図中右側）に撮影窓が配置されている。さらに、筐体２の表面３の上側には、携帯電子機器１の通話時に音声を発するレシーバ１６が設けられている。
【００２８】
次に、図５に示すように、筐体２の内部には、操作基板７と、回路基板８と、タッチパネル１４、アンテナ２６ａと、表示部３２と、バッテリ３４と、が配置されている。操作基板７は、数字キー１２と、方向及び決定キー１３とに対面して配置された基板であり、数字キー１２と、方向及び決定キー１３に入力された操作を検出する検出回路や、検出した入力を後述する主制御部２２に送る回路が設けられている。
【００２９】
回路基板８は、後述する主制御部２２、記憶部２４等の機能を持つ電子部品、例えばＣＰＵ、メモリ等が設置されている基板であり、操作基板７よりも裏面４側に配置されている。回路基板８は、表面３に平行な面上において、数字キー１２と、方向及び決定キー１３が配置されている領域であり、シート部６が配置されている領域内に配置されている。また、回路基板８は、方向及び決定キー１３側の一部に、厚みのある回路部材が設けられている。つまり、回路基板８は、方向及び決定キー１３側の一部が、他の部分、つまり、マイク１５側の部分よりも厚い形状となっている。
【００３０】
次に、アンテナ２６ａは、筐体２の長手方向において、下側端部近傍に配置されている。具体的には、アンテナ２６ａは、筐体２の長手方向において、マイク１５が配置されている側の端部、つまり、レシーバ１６から離れている側の端部に短手方向に伸びて配置されている。また、アンテナ２６ａは、筐体２の厚み方向において、操作基板７と、回路基板８との間に配置されている。また、アンテナ２６ａは、表面３に平行な面上において、シート部６が配置されている領域内に配置されている。
【００３１】
バッテリ３４は、操作基板７の裏面４側で回路基板８の表面３側、つまり、操作基板７と回路基板８との間に挟まれて配置されている。バッテリ３４は、回路基板８のうち厚みが薄い領域と対面している。また、バッテリ３４は、筐体２の長手方向において、アンテナ２６ａよりも上側に配置されている。
【００３２】
表示部３２は、筐体２の回路基板８よりも裏面４側に配置されている。また、図１、図２及び図５に示すように、表示部３２は、筐体２の長手方向、短手方向の両方向において、裏面４の大部分の領域に配置された板状の部材である。
【００３３】
表示部３２は、所定の画像として、携帯電子機器１が受信を待機している状態のときに待ち受け画像を表示したり、携帯電子機器１の操作を補助するために用いられるメニュー画像を表示したりする。表示部３２は、例えば、透明液晶モニター等の透明な表示装置であり、反対側が透けて見える。つまり、表示部３２は、筐体２の外部から入射した光を通過させ筐体２の外部に射出することが可能となる。表示部３２は、透明な表示装置であるため、表示している画像を表面３側、裏面４側の両方から視認することができる。これにより、携帯電子機器１は、表示部３２の表面３側の面のうち、シート部６に覆われていない領域を、第１表示面４２として用い、表示部３２の裏面４側の面の全面を第２表示面４４として用いる。つまり、携帯電子機器１は、表面３側から視認可能な第１表示面４２と、裏面４側から視認可能な第２表示面４４に画像を表示させ、表示部３２として使用する。
【００３４】
なお、表示部３２のうち、第１表示面４２かつ第２表示面４４となる領域は、厚み方向に積層されている部材が基本的に透明部材となる。従って、第１表示面４２かつ第２表示面４４となる領域は、筐体２の外側から見た場合反対側が見える、つまり、透けている状態となる。また、表示部３２のうち、第２表示面４４のみとなる領域は、表面３側に回路基板８等が配置されている。このため、表示部３２を透明に維持すると、裏面４側からは、回路基板８が見える。
【００３５】
タッチパネル１４は、表示部３２の裏面４側の面に配置されている。タッチパネル１４は、裏面４側から入力されるユーザの操作を検出する検出部であり、タッチパネル１４のどの部分が指定されているかを検出する。なお、タッチパネル１４は、表示部３２と対面している領域が透明である。
【００３６】
次に、携帯電子機器１の機能と制御部との関係を説明する。図６は、図１に示す携帯電子機器の機能の概略構成を示すブロック図である。図６に示すように携帯電子機器１は、主制御部２２と、記憶部２４と、通信部２６と、操作部２８と、音声処理部３０と、表示部３２と、表示制御部３３と、バッテリ３４と、カメラ３６と、を有する。
【００３７】
主制御部２２は、携帯電子機器１の全体的な動作を統括的に制御する処理部、例えばＣＰＵ（Central  Processing  Unit）である。すなわち、携帯電子機器１の各種の処理が、操作部２８の操作や携帯電子機器１の記憶部２４に保存されるソフトウェアに応じて適切な手順で実行されるように、通信部２６、表示部３２等の動作を制御する。主制御部２２は、記憶部２４に保存されているプログラム（例えば、オペレーティングシステムプログラム、アプリケーションプログラム等）に基づいて処理を実行する。
【００３８】
記憶部２４には、主制御部２２での処理に利用されるソフトウェアやデータが保存されている。例えば、記憶部２４には、表示部３２に表示させる画像を制御するプログラムや、メールの送受信を実行するためのプログラムが保存されている。さらに、記憶部２４には、プログラム以外の各種データも記憶されている。例えば、記憶部２４には、各種設定条件や、アドレス帳や、文字変換に用いる辞書データや、カメラ（読取部）３６で撮影した画像データ等が保存されている。
【００３９】
通信部２６は、アンテナ２６ａを介して、基地局によって割り当てられるチャネルを介し、基地局との間でＣＤＭＡ方式などによる無線信号回線を確立し、基地局との間で電話通信及び情報通信を行う。
【００４０】
操作部２８は、例えば、電源キー、通話キー、数字キー、文字キー、方向キー、決定キー、発信キーなど、各種の機能が割り当てられた数字キー１２、方向及び決定キー１３、タッチパネル１４とで構成される。操作部２８は、これらのキーまたはタッチパネル１４がユーザの操作により入力されると、その操作内容を主制御部２２へ入力する。
【００４１】
音声処理部３０は、マイク１５に入力される音声信号やレシーバ１６から出力される音声信号の処理を実行する。
【００４２】
表示部３２は、上述したように、透明の表示装置であり、主制御部２２から表示制御部３３を介して供給される映像データに応じた映像、画像データに応じた画像を表示装置に表示させる。
【００４３】
バッテリ３４は、主制御部２２等、携帯電子機器１の各部に電力を供給する電力源である。カメラ３６は、表面３と対面している撮影領域（一定角度の視野角に含まれる領域）の画像を取得する撮像機構である。カメラ３６は、撮影した画像を主制御部２２に送る。
【００４４】
このように、携帯電子機器１は、操作基板７と、回路基板８と、アンテナ２６ａと、バッテリ３４とは、数字キー１２、方向及び決定キー１３と表示部３２との間に挟まれた領域、つまり、シート部６と表示部３２との間に挟まれた領域に配置されている。したがって、携帯電子機器１を筐体２の表面３側から見た場合、操作基板７と、回路基板８と、アンテナ２６ａと、バッテリ３４とは、本実施形態では、シート部６に隠れて見えない構成となっている。
【００４５】
また、筐体２は、筐体２の側面５における樹脂材料（透明材料）自体の厚さを充分に確保しつつ、側面５を曲面形状とすることで、回路基板８を見ようとして側面５側から筐体２の内部を覗いても、回路基板８が見えない構造となっている。つまり、側面５における樹脂材料を厚くし、かつ、側面５を曲面形状とし、側面５から入射した光を屈折させることで、筐体２の側面５から入射した光が回路基板８に届かない構成となる。
【００４６】
さらに、携帯電子機器１は、筐体２の裏面４側に、表示部３２を配置している。これにより、携帯電子機器１は、表示部３２に画像を表示させることで、裏面４側からも回路基板８を見えないようにすることができる。
【００４７】
これにより、携帯電子機器１は、筐体２を透明としても、回路基板８等の電子部品を見えないようにすることができ、優れた美観とすることができる。さらに、数字キー１２、方向及び決定キー１３等の各種キーも配置できるため、操作をしやすくすることができる。
【００４８】
また、数字キー１２、方向及び決定キー１３が配置されている表面３側に第１表示面４２を設けることで、第１表示部４２に操作画面を表示させることができる。また、裏面４側により大きい第２表示面４４を設けることで、大画面に画像を表示させることができる。また、表示部３２を透明表示装置とすることで、１つの表示部３２で第１表示面４２、第２表示面４４の両方に画像を表示させることができる。なお、表示面によって、表示させる画像を判定（選択）させることで、適切な画像を表示させることができる。つまり、主制御部２２及び表示制御部３３の制御により、使用されている表示面に適切な画像を表示させることができる。また、携帯電子機器１は、表面３に、数字キー１２、方向及び決定キー１３と、表示面積が小さい第１表示部４２とを備え、裏面４に、タッチパネル１４と、表示面積が大きい第２表示部４４とを備える。これにより、携帯電子機器１の使用用途に応じて、表面３と裏面４とを使い分けることができる。例えば、メール等の数字、文字の入力が多くなる操作は、表面３で行い、画面の拡大や、選択が主の操作となる動画、画像の観賞、操作は、裏面４で行うようにすることができる。これにより、操作性を高くすることができる。
【００４９】
また、筐体２の数字キー１２、方向及び決定キー１３等の物理キー（所定の位置に固定されており、タッチパネル１４のように透明な板状部材ではないキー）が配置されている面に不透明のシート部６を設けることで、より確実に回路基板８を隠すことができる。このような効果を得ることができるため、シート部６は、不透明とすることが好ましいが、これに限定されず、半透明としてもよい。シート部６を半透明とすることで、回路基板８を見えにくくすることができる。シート部６を見えにくくすることで、美観も一定以上高くすることができる。また、シート部６は、本実施形態のように数字キー１２の表面を覆うように配置することが好ましい。これにより、数字キー１２の表面の外観を１枚のシート状にすることができ、美観に優れた形状とすることができる。また、キーと筺体２との間の隙間が露出しない構成となるため、防水性を高めることができ、筺体２の構造も簡単になる。
【００５０】
また、回路基板８を隠せるため、シート部６を設けることが好ましいが、本発明はこれに限定されず、シート部６を設けなくてもよい。シート部６を設けなくとも、方向及び決定キー１３等の物理キーに対応する位置（向かい合う位置）に回路基板８を配置することで、物理キーにより回路基板８を隠すことができる。ここで、物理キーは、凹凸があったり、対応する機能の文字が印刷されていたり、複数のキーに分かれているため、その裏側が見えにくくなっている。これにより、回路基板８を見えにくくすることができる。
【００５１】
なお、物理キーは不透明とすることが好ましい。さらに、物理キーを構成する部分を不透明な部材で形成することが好ましい。これにより、回路基板８を見えにくくすることができる。
【００５２】
携帯電子機器１のように、回路基板８に加え、バッテリ３４や、アンテナ２６ａも物理キーと表示部３２との間に配置することが好ましい。これにより、バッテリ３４やアンテナ２６ａも見えにくくすることができる。また、アンテナ２６ａは、筐体２の端部に設けることが好ましく、特に、筐体２の下側端部（文字の表示方向を基準として下側となる端部）に設けることが好ましい。アンテナ２６ａを端部に設けることで、他の機器に影響を与えることを抑制しつつ、感度を向上できる。また、アンテナ２６ａを、筐体の下側端部に設けることで、ユーザが筐体２を握った場合も露出しやすい位置にアンテナ２６ａを配置することができ、感度を高く維持できる。
【００５３】
また、携帯電子機器１のように、物理キーを筐体２の長手方向において、中心よりも下側（操作時、つまり文字を表示させる向きを基準として下側）にオフセットして配置することで、操作しやすい位置に物理キーと第１表示面４２とを配置することができる。つまり、物理キーを操作しているときに物理キーの上に第１表示面が配置されるため、第１表示面を見ながらの操作を行いやすい。
【００５４】
また、本実施形態では、物理キーとして、表面３に、数字キー１２を押下したり、方向及び決定キー１３を押下したりすることで操作を入力する装置を配置したが、本発明はこれに限定されない。物理キーとしては、トラックボール、方向キー、タッチパッド、光式ポインティングデバイスを用いることができ、表面３には、これらの少なくとも１つを配置すればよい。なお、裏面４には、本実施形態のように、タッチパネル１４を設けることが好ましい。これにより、裏面４の第２表示面４４に画像を表示させている場合でも操作を入力することができ、操作性を高くすることができる。
【００５５】
また、本実施形態のように、シート部６に、物理キーに加え、マイク１５及びカメラ３６を配置することで、筐体２の透明部分をより多くすることができ、装置の美観をより向上させることができる。なお、シート部６に配置する装置としては、マイク、カメラに限定されず、レシーバや、スピーカ等、不透明な部分が筐体２から露出している部材は、シート部６に配置することが好ましい。なお、美観を向上させるためには、これらの不透明な部分が筐体から露出している部材は、シート部６上に配置することが好ましいが、必ずしも配置する必要はなく、少なくとも１つを配置することが好ましい。
【００５６】
ここで、携帯電子機器１は、第２表示面４４に表示させる画像の設定を、回路基板８と対面している領域と、回路基板８に対面していない領域とで、切り替えることが好ましい。つまり、表示部３２のうち、第１表示面４２かつ第２表示面４４となる領域と、第２表示面４４のみとなる領域とで、異なる表示制御を行うことが好ましい。以下、図７−１から図７−４を用いて説明する。ここで、図７−１は、携帯電子機器の表示部の画面を示す説明図である。また、図７−２から図７−４は、表示部に表示させる画像の一例を示す説明図である。
【００５７】
まず、図７−１に示すように、携帯電子機器１の第２表示面４４は、画像を表示させていない状態では、第１表示領域５０が透明で筐体２の反対側の景色が透けて見え、第２表示領域５２に回路基板８が見える。ここで、第１表示領域５０は、第１表示面４２かつ第２表示面４４となる領域であり、第２表示領域５２は、第２表示面４４のみとなる領域である。
【００５８】
主制御部２２は、図７−２に示すように、待受画面を表示させる場合、第１表示領域５０は、背景を透明とし、第２表示領域５２は、背景を不透明とする。このように、第２表示領域５２を不透明、つまり、何かの画像を表示させることで、第２表示領域５２の裏面４にある回路基板８を見えないようにしつつ、表示領域５０を透けた状態とすることができる。これにより、携帯電子機器１の透明な美観を生かしつつ、回路基板８が見えることを抑制することができる。
【００５９】
なお、図７−２は、待受画面を表示させるときに、第１表示領域５０と第２表示領域５２とで背景を切り替えるようにしたが、表示させる画像を切り替えるようにしてもよい。具体的には、図７−３に示すように、待受画面を表示させる際に、第２表示領域５２のみに画像を表示させ、第１表示領域５０には、画像を表示させないようにしてもよい。このようにしても、第１表示領域５０を透明に維持したまま、回路基板８が見えることを抑制することができる。なお、主制御部２２は、第２表示領域５２に優先的に画像を表示させ、表示させる画像が一定の大きさとなったら、第１表示領域５０に画像を表示させるようにしてもよい。なお、その場合も背景（壁紙）は、透明とすることが好ましい。
【００６０】
また、図７−２及び図７−３では、待受画面の場合を説明したが、その他のアプリケーションの操作画面、画像を表示させる場合も同様に、第１表示領域５０の背景は透明とし、第２表示領域５２の背景は不透明とすることが好ましい。例えば、ブラウザを使用し、検索を行った結果の画面を表示させる場合、図７−４に示すように、主制御部２２は、第２表示面４４に第１表示領域５０の背景は透明とし、第２表示領域５２の背景は不透明としつつ、検索のキーワードを表示させる検索ボックス５３と、検索結果を示す文字情報５４とを表示させる。これにより、第１表示領域５０に表示される検索ボックス５３と、文字情報５４は、透明な背景に浮き出したように表示され、第２表示領域５２に表示される文字情報５４は、不透明な背景の上に表示される。これにより、各種アプリケーションの画面を表示させる場合も、透明な携帯電子機器１の美観を生かしつつ、画像を表示させることができる。
【００６１】
なお、上記実施形態では、いずれも第１表示領域５０に表示される背景として壁紙を透明としたがこれに限定されない。主制御部２２は、その情報（画像）を表示させるために必要な画像のみを表示させ、その他の画像要素は背景として、第１表示領域５０では、表示させずに透明とすればよい。例えば、文字情報を表示させる場合は、文字情報のみを表示させ、その他の画像は表示させないようにすればよい。
【００６２】
次に、上記実施形態では、携帯電子機器１の筐体２の側面５を曲面としたが、本発明はこれに限定されない。ここで、筐体２の側面５は、表面３及び裏面４に平行な方向から筐体２を見たときに、筐体２の内部の回路基板８が見えない（認識できない）、または、見えにくい構成となっていることが好ましく、側面５の少なくとも一部が、表面３に直交する方向に対して傾いていることが好ましい。このように、側面５の少なくとも一部を、表面３に直交する方向に対して傾いている形状、つまり、表面３に直交する面形状ではない形状とすることで、筐体２の内部の回路基板８が見えない（認識できない）、または、見えにくくすることができる。
【００６３】
ここで、図８−１から図８−３は、それぞれ携帯電子機器の他の一例の概略構成を示す上面図である。図８−１に示す携帯電子機器６０は、筐体６１の側面６２が波形状である。このように側面６２を波形状とすることで、側面６２から筐体６０の内部を見えにくくすることができる。図８−２に示す携帯電子機器６４は、筐体６５の側面６６が筐体６５の中心に凸の曲面である。このように側面６６を筐体６５の中心に凸の曲面とすることでも、側面６６から筐体６４の内部を見えにくくすることができる。図８−３に示す携帯電子機器６８は、筐体６９の側面７０が、表面３に直交する方向に対して筐体６９の中心から離れて行く方向に傾いている２つの斜面で構成されている。このように側面７０を断面が直線となる形状を組み合わせることでも、側面７０から筐体６８の内部を見えにくくすることができる。
【００６４】
なお、このように回路基板を見えにくくまたは見えなくできるため、側面の少なくとも一部が、表面３に直交する方向に対して傾いていることが好ましいが、表面３に直交する面としてもよい。また、携帯電子機器は、側面のうち左右方向（長辺側の側面）の側面のみを表面３に直交する方向に対して傾いている形状とすることも好ましい。また、側面のうち、回路基板と対面している部分を表面３に直交する方向に対して傾いている形状とすることも好ましい。このように、側面のうち、回路基板が見えやすい部分、回路基板に近い部分のみを回路基板が見えにくい構成とすることで、携帯電子機器の美観を高くすることができる。
【００６５】
また、本実施形態では、筐体２を表面３側の第１筐体２Ａと、裏面４側の第２筐体２Ｂとに分けたが、これには、限定されない。例えば、筐体は、１つの部材で作製してもよく、また、筐体の上下に分かれる構成としてもよい。また、筐体は、１面が開放された箱と、その箱の開放されている面を塞ぐ蓋とで構成してもよい。さらに、筐体は、３つ以上の部材を接合する構成としてもよい。なお、美観をよくするために、いずれの場合も接合面は、接着剤等で接合し、接合面が透明となるようにすることが好ましい。
【００６６】
また、携帯電子機器１は、バッテリを非接触で充電可能なバッテリ、例えば、電磁誘導型のバッテリとすることが好ましい。バッテリを非接触で充填できるようにすることで、筐体２に充電用の端子を設ける必要がなくなり、筐体２の美観をよりよくすることができる。また、携帯電子機器を防水性の高い携帯電子機器としやすくすることができる。
【００６７】
また、携帯電子機器１は、他の機器とのデータの通信を無線、例えば、赤外線通信、Bluetoothで行うようにすることが好ましい。これにより、データ通信用の端子を設ける必要がなくなり、筐体２の美観をよりよくすることができる。また、携帯電子機器を防水性の高い携帯電子機器としやすくすることができる。
【００６８】
また、上記実施形態では、表示部３２を、画像を表示させていない状態では透明としたが、半透明でもよい。半透明でも筐体の向こう側が透けて見えるため、装置の美観を向上させることができる。また、本実施形態では、装置構成が簡単になるため、表示部３２を１枚の表示装置で構成したが、２枚の表示装置で構成してもよい。つまり、第１表示面と第２表示面とに異なる表示装置を設けてもよい。
【産業上の利用可能性】
【００６９】
以上のように、本発明にかかる携帯電子機器は、画像を表示させる携帯電子機器に用いることに有用である。
【符号の説明】
【００７０】
１、６０、６４、６８  携帯電子機器
２、６１、６５、６９  筐体
２Ａ  第１筐体
２Ｂ  第２筐体
３  表面（第１主面）
４  裏面（第２主面）
５、６２、６６、７０  側面
６  シート部
７  操作基板
８  回路基板
１２  数字キー
１３  方向及び決定キー
１４  タッチパネル
１５  マイク
１６  レシーバ
２２  主制御部（ＣＰＵ）
２４  記憶部（メモリ）
２６  通信部
２８  操作部
３０  音声処理部
３２  表示部
３３  表示制御部
３６  カメラ
４２  第１表示面
４４  第２表示面
５０  第１表示領域
５２  第２表示領域
【図１】
0005474594.tif 000002
【図２】
0005474594.tif 000003
【図３】
0005474594.tif 000004
【図４】
0005474594.tif 000005
【図５】
0005474594.tif 000006
【図６】
0005474594.tif 000007
【図７−１】
0005474594.tif 000008
【図７−２】
0005474594.tif 000009
【図７−３】
0005474594.tif 000010
【図７−４】
0005474594.tif 000011
【図８−１】
0005474594.tif 000012
【図８−２】
0005474594.tif 000013
【図８−３】
0005474594.tif 000014